【手続補正書】
【提出日】平成25年12月13日(2013.12.13)
【手続補正１】
【補正対象書類名】特許請求の範囲
【補正対象項目名】全文
【補正方法】変更
【補正の内容】
【特許請求の範囲】
【請求項１】
光を照射した被検査物からの戻り光と参照光とを合波した光により得られる複数の２次元断層画像の信号を取得する手段と、
前記複数の２次元断層画像の信号をフーリエ変換して複数の複素数のデータを得る手段と、
前記複数の複素数のデータを複数の実数のデータに変換する手段と、
前記複数の実数のデータを用いて前記複数の２次元断層画像に対して測定エラーであるか否かを判断する手段と、
前記複数の２次元断層画像のうち、前記測定エラーであると判断された２次元断層画像以外の複数の２次元断層画像に対応する複数の複素数のデータを平均する手段と、
を有することを特徴とする画像生成装置。
【請求項２】
前記複数の２次元断層画像から前記測定エラーであると判断された２次元断層画像を間引く手段を有し、
前記平均する手段は、前記間引かれた後の複数の２次元断層画像に対応する複数の複素数のデータを平均することを特徴とする請求項１に記載の画像生成装置。
【請求項３】
前記判断する手段は、２次元断層画像内での歪によるデータの抜けを前記測定エラーであると判断することを特徴とする請求項１または２に記載の画像生成装置。
【請求項４】
前記被検査物は眼であり、
前記判断する手段は、眼を閉じることによるデータの抜けを前記測定エラーであると判断することを特徴とする請求項１または２に記載の画像生成装置。
【請求項５】
前記平均する手段は、前記複数の２次元断層画像間の平行移動と回転移動とのうち少なくとも一方の情報に基づいて、前記複数の複素数のデータを平均することを特徴とする請求項１乃至４のいずれか１項に記載の画像生成装置。
【請求項６】
前記被検査物は眼であり、
前記移動は前記眼の固視微動によって生じることを特徴とする請求項５に記載の画像生成装置。
【請求項７】
前記平均する手段は、前記複数の複素数のデータに加算平均及び２乗平均のいずれかを行うことを特徴とする請求項１乃至６のいずれか１項に記載の画像生成装置。
【請求項８】
前記被検査物は眼であり、
前記複数の２次元断層画像は、それぞれ眼の光軸と交差する方向において異なる位置で得られ、
前記２次元断層画像間の位置の差は、横分解能の数倍以下であることを特徴とする請求項１乃至７のいずれか１項に記載の画像生成装置。
【請求項９】
前記平均された複素数のデータに基づいて新たな２次元断層画像を生成する手段と、
前記生成された新たな２次元断層画像を表示装置に表示させる手段と、
を更に有することを特徴とする請求項１乃至８のいずれか１項に記載の画像生成装置。
【請求項１０】
前記平均された複素数のデータを実数に変換する手段を有し、
前記生成する手段は、前記実数に変換されたデータに基づいて前記新たな２次元断層画像を生成することを特徴とする請求項９に記載の画像生成装置。
【請求項１１】
光を照射した被検査物からの戻り光と参照光とを合波した光により得られる複数の２次元断層画像の信号を取得する手段と、
前記複数の２次元断層画像の信号をフーリエ変換し、複素数のデータを得る手段と、
前記複素数のデータを実数のデータに変換し、該実数のデータにより２次元断層画像の移動の情報を取得する移動情報取得手段と、
前記移動の情報に基づいて前記複素数のデータを平均することにより、前記複数の２次元断層画像の合成を複素数で行う合成手段と、
を有することを特徴とする画像生成装置。
【請求項１２】
前記合成手段は、前記移動の情報を用いて前記複素数のデータに対して重みをつけて平均することによって、前記複数の２次元断層画像の合成を行うことを特徴とする請求項１１に記載の画像生成装置。
【請求項１３】
前記合成手段は、前記移動の情報に基づいて前記複数の２次元断層画像の平行移動と回転移動とのうち少なくとも一方を行ってから、前記複数の２次元断層画像に対応する複素数のデータを平均することを特徴とする請求項１１または１２に記載の画像生成装置。
【請求項１４】
コンピュータを、請求項１乃至１３のいずれか１項に記載の画像生成装置の各手段として実行させることを特徴とするプログラム。
【請求項１５】
光を照射した被検査物からの戻り光と参照光とを合波した光により得られる複数の２次元断層画像の信号を取得する手段と、
前記複数の２次元断層画像の信号をフーリエ変換して複数の複素数のデータを得る手段と、
前記複数の複素数のデータを複数の実数のデータに変換する手段と、
前記複数の実数のデータを用いて前記複数の２次元断層画像に対して測定エラーであるか否かを判断する手段と、
前記複数の２次元断層画像のうち、前記測定エラーであると判断された２次元断層画像以外の複数の２次元断層画像に対応する複数の複素数のデータを平均する手段と、
を有することを特徴とする画像生成システム。
【請求項１６】
光を照射した被検査物からの戻り光と参照光とを合波した光により得られる複数の２次元断層画像の信号を取得する手段と、
前記複数の２次元断層画像の信号をフーリエ変換し、複素数のデータを得る手段と、
前記複素数のデータを実数のデータに変換し、該実数のデータにより２次元断層画像の移動の情報を取得する移動情報取得手段と、
前記移動の情報に基づいて前記複素数のデータを平均することにより、前記複数の２次元断層画像の合成を複素数で行う合成手段と、
を有することを特徴とする画像生成システム。
【請求項１７】
光を照射した被検査物からの戻り光と参照光とを合波した光により得られる複数の２次元断層画像の信号を取得する工程と、
前記複数の２次元断層画像の信号をそれぞれフーリエ変換して複数の複素数のデータを得る工程と、
前記複数の複素数のデータを複数の実数のデータに変換する工程と、
前記複数の実数のデータを用いて前記複数の２次元断層画像に対して測定エラーであるか否かを判断する工程と、
前記複数の２次元断層画像のうち、前記測定エラーであると判断された２次元断層画像以外の複数の２次元断層画像に対応する複数の複素数のデータを平均する工程と、
を有することを特徴とする画像生成方法。
【請求項１８】
光を照射した被検査物からの戻り光と参照光とを合波した光により得られる複数の２次元断層画像の信号を取得する工程と、
前記複数の２次元断層画像の信号をフーリエ変換し、複素数のデータを得る工程と、
前記複素数のデータを実数のデータに変換し、該実数のデータにより２次元断層画像の移動の情報を取得する工程と、
前記移動の情報に基づいて前記複素数のデータを平均することにより、前記複数の２次元断層画像の合成を複素数で行う工程と、
を有することを特徴とする画像生成方法。
【手続補正２】
【補正対象書類名】明細書
【補正対象項目名】０００８
【補正方法】変更
【補正の内容】
【０００８】
つまり、本発明の画像生成装置は、光を照射した被検査物からの戻り光と参照光とを合波した光により得られる複数の２次元断層画像の信号を取得する手段と、前記複数の２次元断層画像の信号をそれぞれフーリエ変換して複数の複素数のデータを得る手段と、前記複数の複素数のデータを複数の実数のデータに変換する手段と、前記複数の実数のデータを用いて前記複数の２次元断層画像に対して測定エラーであるか否かを判断する手段と、前記複数の２次元断層画像のうち、前記測定エラーであると判断された２次元断層画像以外の複数の２次元断層画像に対応する複数の複素数のデータを平均する手段と、を有することを特徴とする。
また、本発明の画像生成システムは、光を照射した被検査物からの戻り光と参照光とを合波した光により得られる複数の２次元断層画像の信号を取得する手段と、前記複数の２次元断層画像の信号をそれぞれフーリエ変換して複数の複素数のデータを得る手段と、前記複数の複素数のデータを複数の実数のデータに変換する手段と、前記複数の実数のデータを用いて前記複数の２次元断層画像に対して測定エラーであるか否かを判断する手段と、前記複数の２次元断層画像のうち、前記測定エラーであると判断された２次元断層画像以外の複数の２次元断層画像に対応する複数の複素数のデータを平均する手段と、を有することを特徴とする。
【手続補正３】
【補正対象書類名】明細書
【補正対象項目名】０００９
【補正方法】変更
【補正の内容】
【０００９】
また、本発明の画像生成方法は、光を照射した被検査物からの戻り光と参照光とを合波した光により得られる複数の２次元断層画像の信号を取得する工程と、前記複数の２次元断層画像の信号をそれぞれフーリエ変換して複数の複素数のデータを得る工程と、前記複数の複素数のデータを複数の実数のデータに変換する工程と、前記複数の実数のデータを用いて前記複数の２次元断層画像に対して測定エラーであるか否かを判断する工程と、前記複数の２次元断層画像のうち、前記測定エラーであると判断された２次元断層画像以外の複数の２次元断層画像に対応する複数の複素数のデータを平均する工程と、を有することを特徴とする。